(57)【要約】【課題】  表示する情報の表示態様を制御する制御キーを特定の方向に操作する場合の操作性を改善する。【解決手段】  開示される折り畳み式携帯電話１０は、文字情報又は画像情報を表示する表示部１と、複数の情報入力用キー２Ａが配置されている操作部２とが一体に構成され、操作部２に表示部１に表示する情報の表示態様を制御するアナログキー４を備えるとともに、アナログキー４の移動範囲を規制する円形状のアナログキー移動範囲部５が設定されている構成において、アナログキー移動範囲部５は、円形状の外周に間隔の等しい９０°ごとに複数の突起５Ａ〜５Ｄが設けられた外周形状を有する一方、アナログキー移動範囲部５に重なるように取り付けられ、外周形状と同一の内周形状となるように複数の突起５Ａ〜５Ｄに対応した形状で同数の凹部６Ａ〜６Ｄが設けられた空孔６を有するカバー７を備えている。【選択図】図１
2006065594.tif 000002
【特許請求の範囲】
【請求項１】
文字情報又は画像情報を表示する表示部と、複数の情報入力用キーが配置されている操作部とが一体に構成され、該操作部に前記表示部に表示する情報の表示態様を制御する制御キーを備えるとともに、該制御キーの移動範囲を規制する円形状の制御キー移動範囲部が設定されている携帯用電子機器であって、
前記制御キー移動範囲部は、前記円形状の外周に間隔の等しい所定角度ごとに複数の突起が設けられた外周形状を有する一方、前記制御キー移動範囲部に重なるように取り付けられ、前記外周形状と同一の内周形状となるように前記複数の突起に対応した形状で同数の凹部が設けられた空孔を有するカバーを備えることを特徴とする携帯用電子機器。
【請求項２】
前記カバーは、前記制御キー移動範囲部に対して前記制御キーを中心として回転可能に構成されていることを特徴とする請求項１記載の携帯用電子機器。
【請求項３】
前記制御キー移動範囲部の前記外周形状に前記カバーの内周形状が一致するように前記カバーを回転したとき、前記制御キーを前記突起及び前記凹部により規制される特定方向に操作することを特徴とする請求項１又は２記載の携帯用電子機器。
【請求項４】
前記カバーは、前記操作部の表面と適度な摩擦が生ずるような材料から構成されることを特徴とする請求項１、２又は３記載の携帯用電子機器。
【請求項５】
前記材料としてプラスチックを用いることを特徴とする請求項４記載の携帯用電子機器。
【請求項６】
前記操作部の表面のカバー取付け位置に、前記カバーの内周の前記空孔をガイドするようなガイド手段を設けることを特徴とする請求項４又は５記載の携帯用電子機器。
【請求項７】
前記所定角度が９０°であることを特徴とする請求項１乃至６のいずれか一に記載の携帯用電子機器。
【請求項８】
前記表示部と前記操作部とが折り畳み可能に構成されていることを特徴とする請求項１乃至７のいずれか一に記載の携帯用電子機器。
【発明の詳細な説明】
【技術分野】
【０００１】
この発明は、携帯用電子機器に係り、詳しくは、表示部に表示するカーソルの移動速度、方向、座標等を決定するアナログキー付きの折り畳み式携帯電話のような携帯用電子機器に関する。
【背景技術】
【０００２】
例えば携帯電話のような携帯用電子機器（以下、単に電子機器とも称する）は、携帯性の向上のためにほとんどのタイプのものが、文字情報又は画像情報を表示する表示部と、情報入力用キー群が配置されている操作部とが一体に折り畳み可能に構成されている。また、このような折り畳み式携帯電話において、表示部に表示するカーソルの移動速度、方向、座標等を決定するアナログキーを操作部に備えた構成のものが知られている。
【０００３】
そのようなアナログキー付の折り畳み式携帯電話１００は、図１１に示すように、文字情報又は画像情報を表示する例えば液晶表示素子から成る主表示画面１０１Ａを内側に備える表示部１０１と、複数の情報入力用キー１０２Ａが配置されている操作部１０２とがヒンジ部１０３を介して一体に折り畳み可能に構成されている。表示部１０１には送受信用アンテナ１０４が装着されて、この送受信用アンテナ１０４は、手動により送受信時に表示部１０１から伸張しかつ送受信時以外には表示部１０１に収納可能となるように伸縮可能に装着されている。また、操作部１０２の上部の中央位置には表示部１０１に表示するカーソルの移動速度、方向、座標等を決定するアナログキー移動ポインタ部（以下、単にアナログキーと称する）１０５を備えている。
【０００４】
ここで、アナログキー１０５は例えば右手で操作することにより初期位置である中央位置から、図１２に示すように、円形状のアナログキー移動範囲部１０６内を移動可能になっていて、上述したように表示部１０１に表示するカーソルの移動速度、方向、座標等を決定できるように構成されている。すなわち、アナログキー１０５は、アナログキー移動範囲部１０６により移動範囲が規制されて、表示部１０１に表示する情報の表示態様を制御する制御キーの役割を担っている。アナログキー１０５は指を離すと、初期位置である中央位置に戻るように構成されている。
【０００５】
ところで、折り畳み式携帯電話がより小型化に向かうにつれて、操作部１０２の面積もより狭くなっているので、アナログキー１０５を含んだ機構を設ける操作部１０２のスペースも限られてきている。また、携帯電話を折り畳む場合を考慮すると、アナログキー１０５の高さも制限されるので、アナログキー１０５を操作性がよくなるように突起状に設けるのが困難になっている。このため、図１３に示すように、右手１０７でアナログキー１０５を操作する場合には、操作性が非常に悪くなっている。例えば、アナログキー１０５を間横に移動させようと操作したつもりが、アナログキー１０５の操作性が悪いために思うとおりに移動してくれないことが多いので、移動方向を修正しながらアナログキー１０５の操作を行わなければならず、煩わしい操作が必要になる。ここで、アナログキー１０５の移動方向は、一般に上下左右の特定方向が頻繁に使用される傾向にある。したがって、アナログキー１０５を特に使用頻度の多い上下左右の特定方向に移動する際の操作性の改善が望まれている。
【０００６】
ジョイステック形ノブを手動入力装置として用いた車載機器制御装置が、例えば特許文献１に開示されている。同手動入力装置１１０は、図１４に示すように、ジョイステック形ノブのロータリノブ１１３の操作方向を規制する十文字状のガイド孔１１７ａが設けられたガイド部材１１７を備えている。
【０００７】
また、スクロールスイッチ付の携帯電話用スクロールスイッチ装置が、例えば特許文献２に開示されている。同スクロールスイッチ装置１２０は、図１５に示すように、ケース部分１２４内の中心に設けられたドーム型の確定スイッチ１２２及び確定スイッチ１２２の周囲の４個所に設けられた４個のドーム型の選択スイッチ１２３を有する第１のスイッチ部材１２０Ａと、図１６に示すように、第１のスイッチ部材１２０Ａを覆い確定スイッチ１２２に対応した凸部１２５及び４個の選択スイッチ１２３に対応した４個の切片１２６を有するボタンキー１２７から成る第２のスイッチ部材１２０Ｂとを備えている。そして、一つのキー操作だけで、携帯電話の情報表示部上の動作指示の選択と確定ができるように構成されている。
【特許文献１】特開２００２−１８９５６０号公報
【特許文献２】特開平１１−１２６１２６号公報
【発明の開示】
【発明が解決しようとする課題】
【０００８】
ところで、特許文献１に開示されている手動入力装置及び特許文献２に開示されている携帯電話用スクロールスイッチ装置を組み合わせたとしても、アナログキー付の折り畳み式携帯電話におけるアナログキーの操作性を改善することはできない、という問題がある。
まず、特許文献１の手動入力装置１１０は、図１４に示すように、十文字状のガイド孔１１７ａが設けられたガイド部材１１７によりジョイステック形ノブのロータリノブ１１３の操作方向を規制することが示されているだけであり、この発明の対象である折り畳み式携帯電話におけるアナログキーの操作性に関しては、全く考慮されていない。
【０００９】
次に、特許文献２の携帯電話用スクロールスイッチ装置１２０は、図１５及び図１６に示すように、ボタンキー１２７のＸ、Ｙ方向の操作で周囲４個所の選択スイッチ１２３の設定を選択可能に構成されているが、前述したようなアナログキーの操作性を改善する具体的構成に関しては示されていない。
【００１０】
この発明は、上述の事情に鑑みてなされたもので、表示する情報の表示態様を制御する制御キーを特定の方向に操作する場合の操作性を改善することができるようにした携帯用電子機器を提供することを目的としている。
【課題を解決するための手段】
【００１１】
上記課題を解決するために、請求項１記載の発明は、文字情報又は画像情報を表示する表示部と、複数の情報入力用キーが配置されている操作部とが一体に構成され、該操作部に上記表示部に表示する情報の表示態様を制御する制御キーを備えるとともに、該制御キーの移動範囲を規制する円形状の制御キー移動範囲部が設定されている携帯用電子機器に係り、上記制御キー移動範囲部は、上記円形状の外周に間隔の等しい所定角度ごとに複数の突起が設けられた外周形状を有する一方、上記制御キー移動範囲部に重なるように取り付けられ、上記外周形状と同一の内周形状となるように上記複数の突起に対応した形状で同数の凹部が設けられた空孔を有するカバーを備えることを特徴としている。
【００１２】
また、請求項２記載の発明は、請求項１記載の携帯用電子機器に係り、上記カバーは、上記制御キー移動範囲部に対して上記制御キーを中心として回転可能に構成されていることを特徴としている。
【００１３】
また、請求項３記載の発明は、請求項１又は２記載の携帯用電子機器に係り、上記制御キー移動範囲部の上記外周形状に上記カバーの内周形状が一致するように上記カバーを回転したとき、上記制御キーを上記突起及び上記凹部により規制される特定方向に操作することを特徴としている。
【００１４】
また、請求項４記載の発明は、請求項１、２又は３記載の携帯用電子機器に係り、上記カバーは、上記操作部の表面と適度な摩擦が生ずるような材料から構成されることを特徴としている。
【００１５】
また、請求項５記載の発明は、請求項４記載の携帯用電子機器に係り、上記材料としてプラスチックを用いることを特徴としている。
【００１６】
また、請求項６記載の発明は、請求項４又は５記載の携帯用電子機器に係り、上記操作部の表面のカバー取付け位置に、上記カバーの内周の上記空孔をガイドするようなガイド手段を設けることを特徴としている。
【００１７】
また、請求項７記載の発明は、請求項１乃至６のいずれか一に記載の携帯用電子機器に係り、上記所定角度が９０°であることを特徴としている。
【００１８】
また、請求項８記載の発明は、請求項１乃至７のいずれか一に記載の携帯用電子機器に係り、上記表示部と上記操作部とが折り畳み可能に構成されていることを特徴としている。
【発明の効果】
【００１９】
この発明の携帯用電子機器によれば、アナログキー移動範囲部は、円形状の外周に間隔の等しい９０°ごとに複数の突起が設けられた外周形状を有する一方、アナログキー移動範囲部に重なるように取り付けられ、外周形状と同一の内周形状となるように複数の突起に対応した形状で同数の凹部が設けられた空孔を有するカバーを備えているので、表示する情報の表示態様を制御する制御キーを特定の方向に操作する場合の操作性を改善することができる。
【発明を実施するための最良の形態】
【００２０】
文字情報又は画像情報を表示する表示部と、複数の情報入力用キーが配置されている操作部とが一体に構成され、操作部に表示部に表示する情報の表示態様を制御するアナログキーを備えるとともに、アナログキーの移動範囲を規制する円形状のアナログキー移動範囲部が設定されている構成において、アナログキー移動範囲部は、円形状の外周に間隔の等しい所定角度ごとに複数の突起が設けられた外周形状を有する一方、アナログキー移動範囲部に重なるように取り付けられ、外周形状と同一の内周形状となるように複数の突起に対応した形状で同数の凹部が設けられた空孔を有するカバーを備えている。
【実施例１】
【００２１】
図１は、この発明の実施例１である携帯用電子機器のカバー取付け前の状態を概略的に示す平面図、図２は同携帯用電子機器に取り付けたカバーの回転前の状態を概略的に示す平面図、図３は同携帯用電子機器に取り付けたカバーの回転後の状態を概略的に示す平面図、図４は同携帯用電子機器のカバーの回転前に制御キーを操作した状態を概略的に示す平面図、図５は同携帯用電子機器のカバーの回転後に制御キーを操作した状態を概略的に示す平面図である。なお、この例では電子機器としては折り畳み式携帯電話に例をとって説明する。
この例の折り畳み式携帯電話１０は、図１に示すように、文字情報又は画像情報を表示する例えば液晶表示素子から成る主表示画面を内側に備える表示部１と、複数の情報入力用キー２Ａが配置されている操作部２とがヒンジ部３を介して一体に折り畳み可能に構成されている。表示部１の具体的構成は、図１１に示した従来例のそれと略同様なので、図示を省略する。操作部２の上部の中央位置には表示部１に表示するカーソルの移動速度、方向、座標を決定するアナログキー移動ポインタ部（以下、単にアナログキーと称する）４を備えている。操作部２の表面は、化粧性に富んだ金属性あるいは絶縁性の被膜で覆われている。
【００２２】
アナログキー４の周囲には、円の外周に９０°ごとにそれぞれ第１の突起５Ａ、第２の突起５Ｂ、第３の突起５Ｃ及び第４の突起５Ｄが設けられた外周形状のアナログキー移動範囲部５が設定されている。このアナログキー移動範囲部５はアナログキー４が移動する際の移動範囲を規制するように作用する。アナログキー４は例えば右手で操作することにより初期位置である中央位置から、そのアナログキー移動範囲部５内を移動可能になっていて、表示部１に表示するカーソルの移動速度、方向、座標等を決定できるように構成されて、表示部１に表示する情報の表示態様を制御する制御キーの役割を担っている。アナログキー４は指を離すと、初期位置である中央位置に戻るように構成されている。
【００２３】
操作部２の表面には、アナログキー移動範囲部５に重なるようにアナログキー移動範囲部５の外周形状と同一の内周形状の空孔６が設けられた略リング形状のカバー７が取り付けられる。空孔６は、突起５Ａ〜５Ｄにそれぞれ対応して９０°ごとに４個の凹部６Ａ〜６Ｄが設けられている。カバー７は、アナログキー移動範囲部５に対してアナログキー４を中心として回転可能に取付けられる。
【００２４】
また、カバー７は、操作部２の表面に基本的に取り外せないように取り付けられて、かつ必要な角度だけ回転されるので、滑り過ぎないように操作部２の表面と適度な摩擦が生ずるように、例えばプラスチックのような材料から構成される。さらに、カバー７は回転時にずれないように、予め操作部２の表面のカバー取付け位置には、カバー７の内周の空孔６をガイドするような円形状の微小な突起等のガイド手段を設けておくことが望ましい。
【００２５】
カバー７は、図２に示すように、アナログキー移動範囲部５の周囲に、それぞれの凹部６Ａ〜６Ｄが隣接する突起５Ａ〜５Ｄ（図２では見えない）と４５°ずらして取り付けられる。この状態では、カバー７とアナログキー移動範囲部５が重なることで、実際にアナログキー４が操作可能な範囲は、図１に示したアナログキー移動範囲部５のように円形となる。
【００２６】
次に、図２の状態から、カバー７を４５°右回り方向、あるいは左回り方向に回転させると、図３に示すように、各突起５Ａ〜５Ｄの位置がそれぞれの凹部６Ａ〜６Ｄ（５Ａ〜５Ｄと同位置となるので図示していない）の位置と一致する。したがって、実際にアナログキー４が操作可能な範囲は、図１に示したように、アナログキー移動範囲部５の外周形状に一致するように変更される。この状態では、アナログキー移動範囲部５の上下左右方向に、アナログキー４を固定するように作用するそれぞれの突起５Ａ〜５Ｄが配置されているので、アナログキー４を特に使用頻度の多い上下左右の特定方向に移動した際に、アナログキー４はこれらの特定方向の位置に固定されることになる。
【００２７】
次に、図４及び図５を参照して、この例の折り畳み式携帯電話１０の動作について説明する。
（１）通常の携帯電話の使用時
図２に示したように、カバー７をアナログキー移動範囲部５の周囲に、それぞれの凹部６Ａ〜６Ｄを隣接する突起５Ａ〜５Ｄと４５°ずらして取り付けることにより、カバー７とアナログキー移動範囲部５が重なることで、アナログキー４が操作可能な範囲はアナログキー移動範囲部５のように円形となる。したがって、この範囲内であれば、図４に示すように、アナログキー４を例えば右手で操作することにより初期位置である中央位置から、アナログキー４を自由な位置に移動することができる。このようにアナログキー４を移動したときには、アナログキー４の位置とアナログキー移動範囲部５の中心位置との位置関係を検出して、表示部１に表示する「カーソルの移動方向」、「速度」及び「座標」を決定する。
【００２８】
（２）アナログキーを上下左右の特定方向に移動する際の携帯電話の使用時
図３に示したように、図２の状態から、カバー７をアナログキー移動範囲部５の周囲に４５°回転させることにより、それぞれの凹部６Ａ〜６Ｄを各突起５Ａ〜５Ｄと一致させる。これにより、アナログキー４が操作可能な範囲は、図１に示したようなアナログキー移動範囲部５の外周形状に変更される。
【００２９】
したがって、この範囲内であれば、図５に示すように、アナログキー４を例えば右手で操作することにより初期位置である中央位置から、アナログキー４を上下左右方向の各突起５Ａ〜５Ｄの位置例えば右方向の突起の位置に移動することができる。この状態では、それぞれの突起５Ａ〜５Ｄ（及び凹部６Ａ〜６Ｄ）によってアナログキー移動範囲部５の上下左右方向に、アナログキー４が固定されるので、アナログキー４を特に使用頻度の多い上下左右の特定方向に移動する際に操作性を改善することができる。すなわち、従来のように、操作部２のスペースの制限からアナログキー４を操作性がよくなるように突起状に設けるのが困難になっていても、特に使用頻度の多い上下左右の特定方向に移動する際に操作性を改善することができるようになる。
【００３０】
このように、この例の折り畳み式携帯電話１０の構成によれば、文字情報又は画像情報を表示する表示部１と、複数の情報入力用キー２Ａが配置されている操作部２とが一体に構成され、操作部２に表示部１に表示する情報の表示態様を制御するアナログキー４を備えるとともに、アナログキー４の移動範囲を規制する円形状のアナログキー移動範囲部５が設定されている構成において、アナログキー移動範囲部５は、円形状の外周に間隔の等しい９０°ごとに複数の突起５Ａ〜５Ｄが設けられた外周形状を有する一方、アナログキー移動範囲部５に重なるように取り付けられ、外周形状と同一の内周形状となるように複数の突起５Ａ〜５Ｄに対応した形状で同数の凹部６Ａ〜６Ｄが設けられた空孔６を有するカバー７を備えている。
したがって、表示する情報の表示態様を制御する制御キーを特定の方向に操作する場合の操作性を改善することができる。
【実施例２】
【００３１】
図６は、この発明の実施例２である携帯用電子機器のカバー取付け前の状態を概略的に示す平面図、図７は同携帯用電子機器に取り付けたカバーの回転前の状態を概略的に示す平面図、図８は同携帯用電子機器に取り付けたカバーの回転後の状態を概略的に示す平面図、図９は同携帯用電子機器のカバーの回転前に制御キーを操作した状態を概略的に示す平面図、図１０は同携帯用電子機器のカバーの回転後に制御キーを操作した状態を概略的に示す平面図である。この実施例２の携帯用電子機器の構成が、上述の実施例１のそれと大きく異なるところは、アナログキーを操作する特定方向を増やすようにした点である。この例でも電子機器としては携帯電話に例をとって説明する。
この例の折り畳み式携帯電話２０は、図６に示すように、アナログキー４の周囲には、円の外周に４５°ごとにそれぞれ第１の突起１５Ａ乃至第８の突起１５Ｈが設けられた外周形状のアナログキー移動範囲部１５が設定されている。このアナログキー移動範囲部１５はアナログキー４が移動する際の移動範囲を規制するように作用する。アナログキー４は例えば右手で操作することにより初期位置である中央位置から、そのアナログキー移動範囲部１５内を移動可能になっていて、表示部１に表示するカーソルの移動速度、方向、座標等を決定できるように構成されて、表示部１に表示する情報の表示態様を制御する制御キーの役割を担っている。アナログキー４は指を離すと、初期位置である最初の中央位置に戻るように構成されている。
【００３２】
操作部２の表面には、アナログキー移動範囲部１５に重なるようにアナログキー移動範囲部１５の外周形状と同一の内周形状の空孔１６が設けられた略リング形状のカバー１７が基本的に取り外せないように取り付けられる。空孔１６は、突起１５Ａ〜１５Ｈにそれぞれ対応して４５°ごとに８個の凹部１６Ａ〜１６Ｈが設けられている。カバー１７は、アナログキー移動範囲部１５に対してアナログキー４を中心として回転可能に取付けられる。
【００３３】
カバー１７は、図７に示すように、アナログキー移動範囲部１５の周囲に、それぞれの凹部１６Ａ〜１６Ｈが隣接する突起１５Ａ〜１５Ｈ（図７では見えない）と２２．５°ずらして取り付けられる。この状態では、カバー１７とアナログキー移動範囲部１５が重なることで、実際にアナログキー４が操作可能な範囲は、図６に示したアナログキー移動範囲部１５のように円形となる。
【００３４】
次に、図７の状態から、カバー１７を２２．５°右回り方向、あるいは左回り方向に回転させると、図８に示すように、各突起１５Ａ〜１５Ｈの位置がそれぞれの凹部１６Ａ〜１６Ｈ（１５Ａ〜１５Ｈと同位置となるので図示していない）の位置と一致する。したがって、実際にアナログキー４が操作可能な範囲は、図６に示したように、アナログキー移動範囲部１５の外周形状に一致するように変更される。この状態では、アナログキー移動範囲部１５の上下左右方向に、アナログキー４を固定するように作用するそれぞれの突起１５Ａ〜１５Ｈが配置されているので、アナログキー４を特に使用頻度の多い上下左右の特定方向に移動した際に、アナログキー４はこれらの特定方向の位置に固定されることになる。
【００３５】
次に、図９及び図１０を参照して、この例の折り畳み式携帯電話２０の動作について説明する。
（１）通常の携帯電話の使用時
図７に示したように、カバー１７をアナログキー移動範囲部１５の周囲に、それぞれの凹部１６Ａ〜１６Ｈを隣接する突起１５Ａ〜１５Ｈと２２．５°ずらして取り付けることにより、カバー１７とアナログキー移動範囲部１５が重なることで、アナログキー４が操作可能な範囲はアナログキー移動範囲部１５のように円形となる。したがって、この範囲内であれば、図９に示すように、アナログキー４を例えば右手で操作することにより初期位置である中央位置から、アナログキー４を自由な位置に移動することができる。このようにアナログキー４を移動したときには、アナログキー４の位置とアナログキー移動範囲部１５の中心位置との位置関係を検出して、表示部１に表示する「カーソルの移動方向」、「速度」及び「座標」を決定する。
【００３６】
（２）アナログキーを上下左右の特定方向に移動する際の携帯電話の使用時
図８に示したように、図７の状態から、カバー１７をアナログキー移動範囲部１５の周囲に２２．５°回転させることにより、それぞれの凹部１６Ａ〜１６Ｈを各突起１５Ａ〜１５Ｈと一致させる。これにより、アナログキー４が操作可能な範囲は、図６に示したようなアナログキー移動範囲部１５の外周形状に変更される。
【００３７】
したがって、この範囲内であれば、図１０に示すように、アナログキー４を例えば右手で操作することにより初期位置である中央位置から、アナログキー４を上下左右方向の各突起１５Ａ〜１５Ｈの位置例えば右方向の突起の位置に移動することができる。この状態では、それぞれの突起１５Ａ〜１５Ｈ（及び凹部１６Ａ〜１６Ｈ）によってアナログキー移動範囲部１５の上下左右方向に、アナログキー４が固定されるので、アナログキー４を特に使用頻度の多い上下左右の特定方向に移動する際に操作性を改善することができる。すなわち、従来のように、操作部２のスペースの制限からアナログキー４を操作性がよくなるように突起状に設けるのが困難になっていても、特に使用頻度の多い上下左右の特定方向に移動する際に操作性を改善することができるようになる。
これ以外は、上述した実施例１と略同様である。それゆえ、図６〜図１０において、図１〜図５の構成部分と対応する各部には、同一の番号を付してその説明を省略する。
【００３８】
このように、この例の構成によっても、実施例１と略同様な効果を得ることができる。
【００３９】
以上、この発明の実施例を図面により詳述してきたが、具体的な構成はこの実施例に限られるものではなく、この発明の要旨を逸脱しない範囲の設計の変更などがあってもこの発明に含まれる。例えば、アナログキー移動範囲部に設けられる突起及びカバーの空孔に設けられる凹部の数は、等しい間隔で設けられのであれば特定の数には限定されない。また、実施例では折り畳み式の携帯電話に適用した例で説明したが、文字情報又は画像情報を表示する表示部と、複数の情報入力用キーが配置されている操作部とが一体に構成されている携帯電話であれば折り畳み式に限ることはない。また、携帯電話に限らずに、ＰＤＡ（Personal Digital Assistants:個人向け携帯型情報通信機器）、携帯用ＧＰＳ(Global Positioning System)等の携帯用の電子機器一般に適用することができる。
【図面の簡単な説明】
【００４０】
【図１】この発明の実施例１である携帯用電子機器のカバー取付け前の状態を概略的に示す平面図である。
【図２】同携帯用電子機器に取り付けたカバーの回転前の状態を概略的に示す平面図である。
【図３】同携帯用電子機器に取り付けたカバーの回転後の状態を概略的に示す平面図である。
【図４】同携帯用電子機器のカバーの回転前に制御キーを操作した状態を概略的に示す平面図である。
【図５】同携帯用電子機器のカバーの回転後に制御キーを操作した状態を概略的に示す平面図である。
【図６】この発明の実施例２である携帯用電子機器のカバー取付け前の状態を概略的に示す平面図である。
【図７】同携帯用電子機器に取り付けたカバーの回転前の状態を概略的に示す平面図である。
【図８】同携帯用電子機器に取り付けたカバーの回転後の状態を概略的に示す平面図である。
【図９】同携帯用電子機器のカバーの回転前に制御キーを操作した状態を概略的に示す平面図である。
【図１０】同携帯用電子機器のカバーの回転後に制御キーを操作した状態を概略的に示す平面図である。
【図１１】従来の携帯用電子機器の構成を示す斜視図である。
【図１２】同携帯用電子機器の構成を示す平面図である。
【図１３】同携帯用電子機器の使用方法を示す斜視図である。
【図１４】従来の手動入力装置の構成を示す概略図である。
【図１５】従来のスクロールスイッチ装置の構成を示す概略図である。
【図１６】従来のスクロールスイッチ装置の構成を示す概略図である。
【符号の説明】
【００４１】
１      表示部
２      操作部
２Ａ      情報入力用キー
３      ヒンジ部
４      アナログキー（制御キー）
５、１５      アナログキー移動範囲部
５Ａ〜５Ｄ、１５Ａ〜１５Ｈ      突起
６、１６      空孔
６Ａ〜６Ｄ、１６Ａ〜１６Ｈ      凹部
７、１７      カバー
１０、２０      折り畳み式携帯電話（携帯用電子機器）
【図１】
2006065594.tif 000003
【図２】
2006065594.tif 000004
【図３】
2006065594.tif 000005
【図４】
2006065594.tif 000006
【図５】
2006065594.tif 000007
【図６】
2006065594.tif 000008
【図７】
2006065594.tif 000009
【図８】
2006065594.tif 000010
【図９】
2006065594.tif 000011
【図１０】
2006065594.tif 000012
【図１１】
2006065594.tif 000013
【図１２】
2006065594.tif 000014
【図１３】
2006065594.tif 000015
【図１４】
2006065594.tif 000016
【図１５】
2006065594.tif 000017
【図１６】
2006065594.tif 000018